(57)【要約】【課題】物流機材の流通状態の把握が容易で確実な、非接触形の自動認識媒体を用いた物流機材流通管理システムを提供し、さらに物流機材の固有番号から収納された物品の物品情報の取得も可能にする。【解決手段】箱型収納機材５０にそれぞれの固有番号を記録した非接触型ＩＣタグ５１をその上面あるいは下面に設け、出荷場２０、輸送手段３０、受入れ先４０の天井側あるいは床面に固有番号を読み取るＩＣタグリーダを設け、読み取った固有番号をそれぞれの端末２１、３１、４１から通信ネットワーク９０を通じて物流機材流通管理サーバ１１にその位置情報と共に通知し、物流機材流通管理サーバ１１が全部の箱型収納機材５０の流通履歴を把握して、必要に応じてそれぞれの端末に位置情報と固有番号にリンクしている収納した物品の物品情報を提供する。【選択図】図１
2006027745.tif 000002
【特許請求の範囲】
【請求項１】
物品を収納して該物品の物流拠点間の流通に用いられる物流機材の流通管理システムであって、
前記物流機材の流通状態を管理する物流機材流通管理センターに設けられた物流機材流通管理サーバと、
物品送り出し側に設けられた送り出し側端末と、
物品受入れ先に設けられた受入れ先端末と、
前記物流機材に設けられて該物流機材を特定する固有番号が記録されている非接触型の自動認識媒体と、
前記送り出し側端末と、前記受入れ先端末とのそれぞれに接続されて、前記物流機材の送り出し時と受入れ時に該物流機材の前記非接触型の自動認識媒体に記録された前記物流機材の前記固有番号を読み出す自動認識媒体リーダと、
前記物流機材流通管理サーバと、前記送り出し側端末と、前記受入れ先端末とを接続する通信ネットワークとを備え、
前記自動認識媒体リーダで読み出された前記物流機材の前記固有番号は、前記送り出し側端末と、前記受入れ先端末とから前記物流機材流通管理サーバに前記通信ネットワークを経由して伝達され、
前記物流機材流通管理サーバは、前記送り出し側端末と、前記受入れ先端末とから伝達された前記物流機材の前記固有番号に基づいて、前記物流機材の現在位置と移動経歴とを記録し、前記送り出し側端末と、前記受入れ先端末とからのアクセスに応じて、前記物流機材の現在位置と移動経歴とを、それぞれの該端末に前記通信ネットワークを経由して通知する、物流機材流通管理システム。
【請求項２】
さらに、輸送手段に設けられて前記通信ネットワークに接続される輸送手段端末を有し、前記輸送手段端末にも前記物流機材の受入れ時と送り出し時に該物流機材の前記非接触型の自動認識媒体に記録された前記物流機材の前記固有番号を読み出す自動認識媒体リーダが設けられており、前記自動認識媒体リーダで読み出された前記物流機材の前記固有番号は、前記物流機材流通管理サーバに前記通信ネットワークを経由して伝達され、前記物流機材流通管理サーバは、前記送り出し側端末、前記受入れ先端末、および前記輸送手段端末から伝達された前記物流機材の前記固有番号に基づいて、前記物流機材の現在位置と移動経歴とを記録し、前記物流機材の現在位置と移動経歴とが、前記送り出し側端末と、前記受入れ先端末と、前記輸送手段端末とからからのアクセスに応じて、それぞれの該端末に前記通信ネットワークを経由して通知する、請求項１に記載の物流機材流通管理システム。
【請求項３】
前記物流機材はキャスタを備えた箱型の収納機材である、請求項１または請求項２に記載の物流機材流通管理システム。
【請求項４】
前記自動認識媒体は前記物流機材の上面に固着されており、前記自動認識媒体リーダは前記送り出し側と前記受入れ先とを含む積み卸し部の搬入・搬出口の天井側に設けられている、請求項１から請求項３のいずれか１項に記載の物流機材流通管理システム。
【請求項５】
前記自動認識媒体は前記物流機材の下面に固着されており、前記自動認識媒体リーダは前記送り出し側と前記受入れ先とを含む積み卸し部の搬入・搬出口の床面側に設けられている、請求項１から請求項３のいずれか１項に記載の物流機材流通管理システム。
【請求項６】
前記自動認識媒体リーダは、連続して移動する前記物流機材の前記自動認識媒体が読み取り可能である、請求項１から請求項５の何れか１項に記載の物流機材流通管理システム。
【請求項７】
前記自動認識媒体が、バーコード、文字、データキャリアのいずれかであり、前記自動認識媒体リーダが、バーコードリーダ、ＯＣＲ、データキャリアリーダのいずれかである請求項１から請求項６の何れか１項に記載の物流機材流通管理システム。
【請求項８】
前記自動認識媒体が非接触で書き込み可能なデータキャリアであり、
前記送り出し側には前記物流機材の前記データキャリアにデータ書き込み可能なデータキャリアライタが設けられており、該データキャリアライタは入力された前記物流機材に積載される前記物品の配送先を含む物品情報を前記データキャリアに書き込み、前記受入れ側のデータキャリアリーダは前記物流機材の前記固有番号とともに前記配送先を含む物品情報が読み出し可能である、請求項１から請求項６の何れか１項に記載の物流機材流通管理システム。
【請求項９】
さらに、前記データキャリアに書き込まれた前記配送先を含む物品情報は、前記送り出し側に設けられた送り出し側端末より前記物流機材の前記固有番号とともに前記物流機材流通管理サーバに前記通信ネットワークを経由して伝達され、
前記物流機材流通管理サーバは、前記配送先を含む物品情報を記録し、前記送り出し側端末と、前記受入れ先端末と、前記輸送手段端末とからのアクセスに応じて、該配送先を含む物品情報を、それぞれの該端末に前記通信ネットワークを経由して通知する、請求項８に記載の物流機材流通管理システム。
【請求項１０】
前記データキャリアライタは前記データキャリアリーダと一体に構成されている、請求項８または請求項９に記載の物流機材流通管理システム。
【請求項１１】
物流機材の流通状態を管理する物流機材流通管理センターに設けられた物流機材流通管理サーバと、物品送り出し側に設けられた送り出し側端末と、物品受入れ先に設けられた受入れ先端末と、前記物流機材に設けられて該物流機材を特定する固有番号が記録されている非接触型の自動認識媒体と、前記送り出し側端末と、前記受入れ先端末とのそれぞれに接続されて、前記物流機材の送り出し時と受入れ時に該物流機材の前記非接触型の自動認識媒体に記録された前記物流機材の前記固有番号を読み出す自動認識媒体リーダと、前記物流機材流通管理サーバと、前記送り出し側端末と、前記受入れ先端末とを接続する通信ネットワークとを備えた前記物流機材の流通管理を行う物流機材流通管理システムに設けられた前記物流機材流通管理サーバであって、
該物流機材流通管理サーバは、入力部、出力部、記憶部、データ処理装置を有し、
前記記憶部は、前記物流機材の前記固有番号をキーとして各前記物流機材の移動日時を含む移動履歴を格納する物流機材履歴情報格納手段を有し、
前記データ処理装置は、
前記通信ネットワークを経由して前記システムの前記各端末から入力した前記物流機材の前記固有番号と、発信元端末名と、前記物流機材の移動内容とに基づいて、日時を付して前記物流機材履歴情報格納手段に履歴情報として格納する物流機材履歴情報取得手段と、
前記通信ネットワークを経由して前記システムの前記各端末から入力した物流機材履歴情報要求を受理し、要求内容に対応した物流機材履歴情報を前記物流機材履歴情報格納手段から読み出して、前記通信ネットワークを経由して要求元の前記端末に送信する物流機材履歴情報要求処理手段と、
前記データ処理装置全体の制御を行う中央処理部とを有する、物流機材流通管理サーバ。
【請求項１２】
前記記憶部は、さらに、前記送り出し側端末から前記物流機材の前記固有番号とリンクして通知された、該物流機材に収納された物品の配送先を含む物品情報を、前記物流機材の前記固有番号とリンクして物流機材／物品情報として格納する物流機材／物品情報格納手段を有し、
前記データ処理装置は、さらに、
前記通信ネットワークを経由して前記送り出し側端末から入力した、前記物流機材の前記固有番号とリンクしている該物流機材に収納された前記物品の配送先を含む物品情報を、新しい物流機材／物品情報として、前記物流機材／物品情報格納手段に格納する物流機材／物品情報取得手段と、
前記通信ネットワークを経由して前記システムの前記各端末から入力した、前記物流機材の前記固有番号をキーとする物流機材／物品情報要求を受理し、要求内容に対応した物品情報を前記物流機材／物品情報格納手段から読み出して、前記通信ネットワークを経由して要求元の前記端末に送信する物流機材／物品情報要求処理手段とを有する、請求項１１に記載の物流機材流通管理サーバ。
【発明の詳細な説明】
【技術分野】
【０００１】
本発明は物流機材流通管理システムに関し、特に非接触形の自動認識媒体を用いた物流機材流通管理システムと物流機材流通管理サーバに関する。
【背景技術】
【０００２】
従来、物品の地点間の輸送は、例えば宅配便や部品の組立工場への輸送に見られるように、個包装された形態や小型のコンテナに収納された状態で、トラックなどの輸送機関を用いて行なわれてきた。この作業の合理化が要求されているが、例えば配送対象となる荷物の受付から送付票発行までの作業の自動化を図り、配送受付から配送終了までの荷物の移動経路を集中的に監視する荷物配送システムが開示されている（特許文献１参照）。ここでは、配送受付所に顧客カード発行装置と送付票発行装置が設けられ、荷物情報を記憶したデータキャリア付き送付票を発行して荷物情報をホスト端末に送り、ホスト端末は移動中の荷物に付せられたデータキャリアから通信装置が読み取った荷物情報を取得して移動経路をリアルタイムに監視している。
【特許文献１】特開平８−１７３９１７号公報
【発明の開示】
【発明が解決しようとする課題】
【０００３】
物品の輸送における作業の合理化に対応するため、従来から小型のコンテナに物品を収納してトラックに積み込むことが行なわれていたが、最近キャスタのついた大型で箱型の収納機材に物品を収納しトラックの積み込み装置を用いてトラックに積み込むことにより、積み卸し作業を容易にする方法が用いられるようになってきた。食品の鮮度保持のために保冷機能を有する収納機材を用いることも増加している。
【０００４】
この場合、この収納機材は高価なものであり、常にその存在を確認して有効活用することが望ましいが輸送範囲の広い場合にはその把握は容易ではない。その対策として一部で人間の接近が容易な収納機材の側面に固有番号などの認識表示が記録されたバーコードなどの自動認識媒体を配設し、バーコードリーダなどで読み取って収納機材を特定することが行なわれているが、この読み取りのためには積み卸し作業を中断する必要があり、作業効率を低下させる原因となっていた。
【０００５】
本発明の目的は、作業効率を低下させることなく物流機材の流通状態の把握が容易な、非接触形の自動認識媒体を用いた物流機材流通管理システムを提供することにある。また、さらに物流機材の固有番号と収納物品情報とをリンクさせることにより、物流機材の固有番号を自動認識媒体によって読み取ることによる収納物品情報の取得も可能にする。
【課題を解決するための手段】
【０００６】
本発明の物流機材流通管理システムは、
物品を収納してその物品の物流拠点間の流通に用いられる物流機材の流通管理システムであって、物流機材の流通状態を管理する物流機材流通管理センターに設けられた物流機材流通管理サーバと、物品送り出し側に設けられた送り出し側端末と、物品受入れ先に設けられた受入れ先端末と、物流機材に設けられてその物流機材を特定する固有番号が記録されている非接触型の自動認識媒体と、送り出し側端末と、受入れ先端末とのそれぞれに接続されて、物流機材の送り出し時と受入れ時にその物流機材の非接触型の自動認識媒体に記録された物流機材の固有番号を読み出す自動認識媒体リーダと、物流機材流通管理サーバと、送り出し側端末と、受入れ先端末とを接続する通信ネットワークとを備え、自動認識媒体リーダで読み出された物流機材の固有番号は、送り出し側端末と、受入れ先端末とから物流機材流通管理サーバに通信ネットワークを経由して伝達され、物流機材流通管理サーバは、送り出し側端末と、受入れ先端末とから伝達された物流機材の固有番号に基づいて、物流機材の現在位置と移動経歴とを記録し、送り出し側端末と、受入れ先端末とからのアクセスに応じて、物流機材の現在位置と移動経歴とを、それぞれのその端末に通信ネットワークを経由して通知する。
【０００７】
さらに、輸送手段に設けられて通信ネットワークに接続される輸送手段端末を有し、他の端末と同様の動作を行ってもよい。
【０００８】
物流機材はキャスタを備えた箱型の収納機材であり、自動認識媒体は物流機材の上面あるいは下面に固着されており、自動認識媒体リーダは送り出し側と受入れ先とを含む積み卸し部の搬入・搬出口の天井側あるいは床面に設けられていてもよく、自動認識媒体リーダは、連続して移動する物流機材の自動認識媒体が読み取り可能であることが望ましく、自動認識媒体が、バーコード、文字、データキャリアのいずれかであり、自動認識媒体リーダが、バーコードリーダ、ＯＣＲ、データキャリアリーダのいずれかであってもよい。
【０００９】
また、自動認識媒体が非接触で書き込み可能なデータキャリアであり、送り出し側には物流機材のデータキャリアにデータ書き込み可能なデータキャリアライタが設けられており、そのデータキャリアライタは入力された物流機材に積載される物品の配送先を含む物品情報をデータキャリアに書き込み、受入れ側のデータキャリアリーダは物流機材の固有番号とともに配送先を含む物品情報が読み出し可能であり、さらにデータキャリアに書き込まれた配送先を含む物品情報は、送り出し側に設けられた送り出し側端末より物流機材の固有番号とともに物流機材流通管理サーバに通信ネットワークを経由して伝達され、物流機材流通管理サーバは、配送先を含む物品情報を記録し、送り出し側端末と、受入れ先端末と、輸送手段端末とからのアクセスに応じて、その配送先を含む物品情報を、それぞれのその端末に通信ネットワークを経由して通知してもよく、データキャリアライタはデータキャリアリーダと一体に構成されていてもよい。
【００１０】
本発明の物流機材流通管理サーバは、
入力部、出力部、記憶部、データ処理装置を有し、記憶部は、物流機材の固有番号をキーとして各物流機材の移動日時を含む移動履歴を格納する物流機材履歴情報格納手段を有し、データ処理装置は、通信ネットワークを経由してシステムの各端末から入力した物流機材の固有番号と、発信元端末名と、物流機材の移動内容とに基づいて、日時を付して物流機材履歴情報格納手段に履歴情報として格納する物流機材履歴情報取得手段と、通信ネットワークを経由してシステムの各端末から入力した物流機材履歴情報要求を受理し、要求内容に対応した物流機材履歴情報を物流機材履歴情報格納手段から読み出して、通信ネットワークを経由して要求元の端末に送信する物流機材履歴情報要求処理手段と、データ処理装置全体の制御を行う中央処理部とを有する。
【００１１】
記憶部は、さらに、送り出し側端末から物流機材の固有番号とリンクして通知された、その物流機材に収納された物品の配送先を含む物品情報を、物流機材の固有番号とリンクして物流機材／物品情報として格納する物流機材／物品情報格納手段を有し、データ処理装置は、さらに、通信ネットワークを経由して送り出し側端末から入力した、物流機材の固有番号とリンクしているその物流機材に収納された物品の配送先を含む物品情報を、新しい物流機材／物品情報として、物流機材／物品情報格納手段に格納する物流機材／物品情報取得手段と、通信ネットワークを経由してシステムの各端末から入力した、物流機材の固有番号をキーとする物流機材／物品情報要求を受理し、要求内容に対応した物品情報を物流機材／物品情報格納手段から読み出して、通信ネットワークを経由して要求元の端末に送信する物流機材／物品情報要求処理手段とを有していてもよい。
【発明の効果】
【００１２】
本発明には、次のような効果がある。即ち、
第１の効果は、物流拠点間の流通に用いられる物流機材の管理が容易になり、紛失を防ぐだけでなくその所在場所も容易に追跡できることである。これは物流機材の固有番号を記録した非接触形の自動認識媒体が物流機材に取り付けられており、出発、到着時に物流機材の固有番号が自動的に読み取られて、物流機材流通管理サーバに通信ネットワークを経由して通報し、物流機材流通管理サーバが物流機材の履歴情報を常時管理できるからである。
【００１３】
第２の効果は、物流機材の固有番号と収納された物品の配送先を含む物品情報とをリンクさせることにより物流機材に収納されている物品情報の取得も容易となることである。これは、物品送り出し側で自動認識媒体であるデータキャリアに配送先を含む物品情報を書き込み、その物品情報を物流機材の固有番号とリンクさせて送り出し端末から通信ネットワークを経由して物流機材流通管理サーバに通報することにより、各端末は物流機材流通管理サーバを経由してその物流機材に収納されている物品の物品情報の入手が可能となるからである。
【００１４】
第３の効果は、積み卸し作業を中断することなく物流機材の固有番号を読み出せることである。これは、自動認識媒体が物流機材の上面あるいは下面に固着されており、天井あるいは床面に自動認識媒体リーダが設置されており、物流機材を停止させることなく自動認識媒体リーダ近傍を通過させることにより読み取りが可能だからである。
【００１５】
第４の効果は、自動認識媒体の損傷が防止できることである。これは、自動認識媒体が物流機材の上面あるいは下面に固着されているので他の物体との接触の可能性が少ないからである。
【発明を実施するための最良の形態】
【００１６】
次に、本発明の実施の形態について図面を参照して説明する。図１は本発明の第１の実施の形態の物流機材流通管理システムを説明するための模式的ブロック構成図であり、図２は上面にＩＣタグが設けられた箱型収納機材の模式的斜視図であり、図３は出荷場における箱型収納機材の上面に設けられたＩＣタグに対向するＩＣタグリーダと出荷場端末と通信ネットワークととの関係を示す模式的斜視図であり、図４は下面にＩＣタグが設けられた箱型収納機材の模式的斜視図であり、図５は出荷場における箱型収納機材の下面に設けられたＩＣタグに対向するＩＣタグリーダと出荷場端末と通信ネットワークととの関係を示す模式的斜視図である。
【００１７】
本実施の形態では物流機材を箱型収納機材５０とし、図２ではキャスタ５２と扉５３を有する閉鎖型の収納機材を例として説明するが、これに限定されるものではなく壁面が格子状や網目状の開放型であってもよく、断熱構造の保冷ボックス型であってもよい。物流機材５０に固着される自動認識媒体はデータキャリアであるＲＦＩＤ（Ｒａｄｉｏ  Ｆｒｅｑｕｅｎｃｙ  Ｉｎｄｅｎｔｉｆｉｃａｔｉｏｎ、以下ＩＣタグ５１と称す）として説明するが、これに限定されるものではなく、非接触認識の可能なバーコード、文字であってもよく、自動認識媒体リーダはそれぞれに対応してデータキャリアリーダ（以下ＩＣタグリーダ２２と称す）、バーコードリーダ、ＯＣＲとなる。
【００１８】
本発明の物流機材流通管理システム１は、物流機材の送り出し時と受入れ時に、その場所に設置されている自動認識媒体リーダで停止することなく読み取り可能な位置に自動認識媒体が固着可能な物流機材の流通管理を行うものである。具体的には宅配便や部品の組立工場への輸送に見られるような、物品の複数の拠点間の移動に用いられる物流機材が対象となる。
【００１９】
本実施の形態では、物流機材流通管理システム１は、箱型収納機材５０の流通を管理するシステムであり、箱型収納機材５０には箱型収納機材５０を識別するための固有番号が記憶された非接触型のＩＣタグ５１が一体となって設けられている。新規の箱型収納機材５０コンテナの場合は製造時に組み込むことが望ましく、既存の物流機材を本システムで使用する場合にはＩＣタグを離脱しないように固着することが望ましい。固有番号は数字の他アルファベットを含んでいてもよい。
【００２０】
箱型収納機材５０は全国を流通することもあるので、全国的な物流機材流通管理センター１０を設けて、そこで固有番号を一括管理することが望ましいが、難しい場合は一定のルールを定めて重複しないように番号付けを行うことが必要である。
【００２１】
非接触型のＩＣタグ５１にはＩＣチップとアンテナとが組み込まれており、外部からの所定の信号を受信して記憶内容を外部に発信するが、箱型収納機材５０がキャスタ５２で移動中に、設置されたＩＣタグリーダ３２で連続的にＩＣタグ５１を読み取ることが必要であり、ＩＣタグ５１を箱型収納機材５０の上面あるいは下面に設け、ＩＣタグリーダ３２をＩＣタグ５１と対向する天井側あるいは床面に設けることが望ましい。図２に示されるようにＩＣタグ５１が箱型収納機材５０の上面に設けられている場合は、図３に示すように天井側に出荷場端末２１を介して通信ネットワーク９０と接続するＩＣタグリーダ２２を設ける。図４に示されるようにＩＣタグ５１が箱型収納機材５０の下面に設けられている場合は、図５に示すように床面に出荷場端末２１を介して通信ネットワーク９０と接続するＩＣタグリーダ２２を設ける。
【００２２】
箱型収納機材５０の流れには色々な流れが考えられるが、ここでは最も標準的な、出荷場２０、受入れ先４０、物流機材流通管理センター１０およびトラックなどの輸送手段３０、ならびにそれらに設けられたサーバや端末を結ぶ通信ネットワーク９０により、物流機材流通管理システム１の基盤が構成されているものとする。また、図１では説明を簡略化するために出荷場２０、受入れ先４０はそれぞれ１ヶ所しか示されていないが実際には複数となっている。
【００２３】
ここで、出荷場２０にはパーソナルコンピュータ等の情報処理装置である出荷場端末２１が設けられており、出荷場端末２１は出荷場２０に搬出入される箱型収納機材５０の固有番号を読み取るＩＣタグリーダ２２が接続されており、受入れ先４０にはパーソナルコンピュータ等の情報処理装置である受入れ先場端末４１が設けられており、受入れ先端末４１は受入れ先４０に搬出入される箱型収納機材５０の固有番号を読み取るＩＣタグリーダ４２が接続されている。いずれもそれぞれ1個が設けられて搬入・搬出時に読み取りを行い、物流機材管理サーバ１１が固有番号の読み出し経歴から搬入・搬出を判断することとしているが、搬入口、搬出口にそれぞれＩＣタグリーダ４２が設けられてもよい。また、管理精度は落ちるが出荷場２０からの搬出時および受入れ先４０への搬入時にのみ読み出しを行うこととしても箱型収納機材５０の所在管理を行うことができる。また、輸送手段３０にも輸送手段３０に搬出入される箱型収納機材５０の固有番号を読み取るＩＣタグリーダ３２が設けられて輸送手段端末３１に接続されている。管理精度は落ちるがＩＣタグリーダ３２が設けられた輸送手段端末３１がなくとも箱型収納機材５０の所在管理を行うことができる。
【００２４】
物流機材流通管理センター１０には、物流機材流通管理サーバ１１が設けられており、物流機材流通管理サーバ１１には各端末から通信ネットワーク９０を経由して各端末が読み取った箱型収納機材５０の固有番号が端末名と共に入力され、全ての箱型収納機材５０の現在地と移動履歴とが流通情報として格納され、各端末の要求により箱型収納機材５０の流通情報を提供することができる。また、物流機材流通管理センター１０の管理者は流通情報を閲覧することができる。
【００２５】
ここで、出荷場２０での利用開始に始まる箱型収納機材５０の流れについて、具体的に説明する。出荷場２０では、入庫している空の箱型収納機材５０に流通の対象となる物品６０を収納する。出荷場２０では輸送手段３０に物品６０を収納した箱型収納機材５０を積み込む前にＩＣタグリーダ２２で箱型収納機材５０のＩＣタグ５１に記憶された固有番号が読み取られて、出荷場端末２１から通信ネットワーク９０を経由して物流機材流通管理サーバ１１に通知され、これによって箱型収納機材５０が出荷場から搬出されたことが記録される。
【００２６】
輸送手段３０にＩＣタグリーダ３２が設けられている場合には、箱型収納機材５０の積み込み時に箱型収納機材５０のＩＣタグ５１に記憶された固有番号が読み取られて、輸送手段端末３１から通信ネットワーク９０を経由して物流機材流通管理サーバ１１に通知され、これによって箱型収納機材５０が輸送手段３０に積載されたことが記録される。
【００２７】
受入れ先４０に輸送手段３０が到着して、輸送手段３０から箱型収納機材５０から降ろす場合、輸送手段３０にＩＣタグリーダ３２が設けられている場合には、箱型収納機材５０を降ろす時に箱型収納機材５０のＩＣタグ５１に記憶された固有番号が読み取られて、輸送手段端末３１から通信ネットワーク９０を経由して物流機材流通管理サーバ１１に通知され、これによって箱型収納機材５０が輸送手段３０から降ろされたことが記録される。
【００２８】
受入れ先４０ではＩＣタグリーダ４２で入庫した箱型収納機材５０の固有番号が読み取られて、接続する受入れ先端末４１から通信ネットワーク９０を経由して物流機材流通管理サーバ１１に通知され、これによって箱型収納機材５０が受入れ先４０に移動したことが記録される。物品６０が取り出されて空になった箱型収納機材５０は再び輸送手段３０で返却されるが、受入れ先端末４１に接続したＩＣタグリーダ４２で箱型収納機材５０の固有番号が読み取られて、受入れ先端末４１から通信ネットワーク９０を経由して物流機材流通管理サーバ１１に通知され、これによって箱型収納機材５０は返却中であることが記録される。輸送手段３０においても上述と同様な処理が行なわれ、出荷場２０に戻った空の箱型収納機材５０は、出荷場端末２１に接続されたＩＣタグリーダ２２で箱型収納機材５０の固有番号が読み取られて出荷場端末２１から通信ネットワーク９０を経由して物流機材流通管理サーバ１１に通知され、これによって箱型収納機材５０が出荷場２０に移動したことが記録される。
【００２９】
以上のような箱型収納機材５０のＩＣタグ５１の、それぞれのシステム構成要素の入口および出口におけるＩＣタグリーダによる読み出しと、その情報の物流機材流通管理サーバ１１への伝達によって、物流機材流通管理サーバ１１では全部の箱型収納機材５０の現在の所在と履歴とを確実に把握でき、要求により管理者や各端末に情報が提供される。
【００３０】
次に本発明の第１の実施の形態の物流機材流通管理システム１の中心となっている物流機材流通管理センター１０の物流機材流通管理サーバ１１について説明する。図６は本発明の第１の実施の形態の物流機材流通システムの物流機材流通管理サーバの模式的ブロック構成図である。
【００３１】
物流機材流通管理サーバ１１は、通信ネットワーク９０上に設置されているワークステーション・サーバ等の情報処理装置であり、通信ネットワーク９０を介して物流機材流通管理システム１の各端末から箱型収納機材５０の固有番号の読み取り結果の通知を受けて、記憶部１３０の物流機材履歴情報格納部１３１に箱型収納機材５０の固有番号と対応させて履歴情報として記憶し、各端末からのアクセスにより指定された固有番号に対応した履歴情報をそれぞれの端末に対して通信ネットワーク９０を経由して通知する。
【００３２】
物流機材流通管理サーバ１１は、入力部１１０、出力部１４０、データ処理装置１２０、記憶部１３０、操作者がコマンドやデータを入力できる操作者入力部１１１、データを画面に表示できる画像表示部１４１を有する。
【００３３】
記憶部１３０は、物流機材履歴情報格納部１３１を有し、物流機材履歴情報格納部１３１は箱型収納機材５０の固有番号をキーとして各箱型収納機材５０の移動履歴を移動日時と共に格納する。
【００３４】
データ処理装置１２０は、物流機材履歴情報取得部１２１、物流機材履歴情報要求受理部１２２、物流機材履歴情報制作部１２３、物流機材履歴情報送信部１２４、およびデータ処理装置１２０全体の制御を行う中央処理部１２９を有する。
【００３５】
物流機材履歴情報取得部１２１は、通信ネットワーク９０を経由して各端末から入力した箱型収納機材５０の固有番号と、発信元端末名と、読み取ったＩＣタグリーダにより規定される箱型収納機材５０の移動内容と、日時情報とに基づいて、記憶部１３０の物流機材履歴情報格納部１３１に、箱型収納機材５０の固有番号をキーとする所定のフォーマットの物流機材履歴情報として格納する。
【００３６】
物流機材履歴情報要求受理部１２２は、通信ネットワーク９０を経由して各端末から入力した物流機材履歴情報要求を受理し、物流機材履歴情報制作部１２３は、要求内容に対応した履歴情報を記憶部１３０の物流機材履歴情報格納部１３１から読み出して、物流機材履歴情報送信部１２４から通信ネットワーク９０を経由して要求元の端末に送信する。
【００３７】
次に、本発明の第２の実施の形態について図７を参照して説明する。図７は本発明の第２の実施の形態の物流機材流通管理システムを説明するための模式的ブロック構成図である。第２の実施の形態の物流機材流通管理システム２では第１の実施の形態の物流機材流通管理システム１に加えて、出荷場２０に出荷場端末２１と接続するＩＣタグライタ２３を有する。それ以外の構成と動作は第１の実施の形態と同じなので同一の構成要素には同一の符号を付し説明を省略する。
【００３８】
ＩＣタグ５１には記憶容量が大きく外部からの書き込み、消去が可能なＩＣタグが用いられる。通常の物品の流通では、配送先を含む物品情報を送付票として作成し物品自体に添付して送付することが多いが、第２の実施の形態では出荷場２０に出荷場端末２１と接続するＩＣタグライタ２３を設け、箱型収納機材５０に格納される物品６０の配送先を含む物品情報を箱型収納機材５０のＩＣタグ５１に書き込む。物品情報は送付票を作成するために用いられたデータがそのまま利用されることが望ましい。従って受入れ先端末４０では入庫した箱型収納機材５０のＩＣタグ５１をＩＣタグリーダ４２で読み出すことで箱型収納機材５０に格納されている物品６０の配送先を含む物品情報を読み出すことができ、物品６０に添付された送付票によらなくても格納された物品６０の物品情報をデータとして取得することができる。さらに、箱型収納機材５０に格納される物品６０の商品情報を箱型収納機材５０の固有番号とリンクさせて出荷場端末２１から通信ネットワーク９０を経由して物流機材流通管理センター１０の物流機材流通管理サーバ１２に送信することによって、物流機材流通管理サーバ１２では箱型収納機材５０に格納される物品６０の商品情報を箱型収納機材５０の固有番号とリンクさせて記憶しているので、各端末は物流機材流通管理サーバ１２にアクセスすることによって箱型収納機材５０に格納されている、あるいは過去に格納された物品６０の商品情報を取得することができる。
【００３９】
次に本発明の第２の実施の形態の物流機材流通管理システム２の物流機材流通管理サーバ１２について説明する。図８は本発明の第２の実施の形態の物流機材流通システムの物流機材流通管理サーバの模式的ブロック構成図である。第２の実施の形態では第１の実施の形態に加えて、箱型収納機材５０と対応させた格納されている物品情報の処理が行われる。第１の実施の形態と同一の部分については図６と同一の符号を用いて説明する。
【００４０】
物流機材流通管理サーバ１２は、通信ネットワーク９０を介して物流機材流通管理システム１の各端末から箱型収納機材５０の固有番号の読み取り結果の通知を受けて、第１の実施の形態と同様に、記憶部１３０の物流機材履歴情報格納部１３１に箱型収納機材５０の固有番号と対応させて記憶し、出荷場端末２１から箱型収納機材５０の固有番号とリンクして通知された、箱型収納機材５０に収納された物品６０の配送先を含む物品情報を、箱型収納機材５０の固有番号とリンクして物流機材／物品情報格納部１３２に記憶し、各端末からのアクセスにより、指定された固有番号に対応した履歴情報あるいは物品情報をそれぞれの端末に対して通信ネットワーク９０を経由して通知する。
【００４１】
物流機材流通管理サーバ１２は、入力部１１０、出力部１４０、データ処理装置１２０、記憶部１３０、操作者がコマンドやデータを入力できる操作者入力部１１１、データを画面に表示できる画像表示部１４１を有する。
【００４２】
記憶部１３０は、物流機材履歴情報格納部１３１と、物流機材／物品情報格納部１３２とを有し、物流機材履歴情報格納部１３１は箱型収納機材５０の固有番号をキーとして各箱型収納機材５０の移動履歴を移動日時と共に格納し、物流機材／物品情報格納部１３２は、出荷場２０の出荷場端末２１から箱型収納機材５０の固有番号とリンクして通知された、箱型収納機材５０に収納された物品の配送先を含む物品情報を箱型収納機材５０の固有番号とリンクして格納する。
【００４３】
データ処理装置１２０は、物流機材履歴情報取得部１２１、物流機材履歴情報要求受理部１２２、物流機材履歴情報制作部１２３、物流機材履歴情報送信部１２４、物流機材／物品情報取得部１２５、物流機材／物品情報要求受理部１２６、物流機材／物品情報制作部１２７、物流機材／物品情報送信部１２８、およびデータ処理装置１２０全体の制御を行う中央処理部１２９を有する。
【００４４】
物流機材履歴情報取得部１２１、物流機材履歴情報要求受理部１２２、物流機材履歴情報制作部１２３、および物流機材履歴情報送信部１２４の内容と動作は第１の実施の形態と同じなので説明を省略する。
【００４５】
物流機材／物品情報取得部１２５は、通信ネットワーク９０を経由して出荷場端末２１から入力した、箱型収納機材５０の固有番号とリンクしているその箱型収納機材５０に収納された物品の配送先を含む物品情報を、新しい物品情報として、記憶部１３０の物流機材／物品情報格納部１３２の箱型収納機材５０の固有番号とリンクして記憶する。その場合これまで記憶されている物品情報を更新することとしてもよい。
【００４６】
物流機材／物品情報要求受理部１２６は、通信ネットワーク９０を経由して各端末から入力した物流機材／物品情報要求を受理し、物流機材／物品情報制作部１２７は、要求内容の箱型収納機材５０の固有番号に対応した物品情報を記憶部１３０の物流機材／物品情報格納部１３２から読み出して、物流機材／物品情報送信部１２８から通信ネットワーク９０を経由して要求元の端末に送信する。物流機材／物品情報格納部１３２に輸送した物品情報を蓄積すれば輸送内容についての統計処理を行うこともできる。
【図面の簡単な説明】
【００４７】
【図１】本発明の第１の実施の形態の物流機材流通管理システムを説明するための模式的ブロック構成図である。
【図２】上面にＩＣタグが設けられた箱型収納機材の模式的斜視図である。
【図３】出荷場における箱型収納機材の上面に設けられたＩＣタグに対向するＩＣタグリーダと出荷場端末と通信ネットワークととの関係を示す模式的斜視図である。
【図４】下面にＩＣタグが設けられた箱型収納機材の模式的斜視図である。
【図５】出荷場における箱型収納機材の下面に設けられたＩＣタグに対向するＩＣタグリーダと出荷場端末と通信ネットワークととの関係を示す模式的斜視図である。
【図６】本発明の第１の実施の形態の物流機材流通システムの物流機材流通管理サーバの模式的ブロック構成図である。
【図７】本発明の第２の実施の形態の物流機材流通管理システムを説明するための模式的ブロック構成図である。
【図８】本発明の第２の実施の形態の物流機材流通システムの物流機材流通管理サーバの模式的ブロック構成図である。
【符号の説明】
【００４８】
１、２    物流機材流通管理システム
１０    物流機材流通管理センター
１１、１２    物流機材流通管理サーバ
２０    出荷場
２１    出荷場端末
２２、３２  ４２    ＩＣタグリーダ
２３    ＩＣタグライタ
３０    輸送手段
３１    輸送手段端末
４０    受入れ先
４１    受入れ先端末
５０    箱型収納機材
５１    ＩＣタグ
５２    キャスタ
５３    扉
６０    物品
９０    通信ネットワーク
１１０    入力部
１１１    操作者入力部
１２０    データ処理装置
１２１    物流機材履歴情報取得部
１２２    物流機材履歴情報要求受理部
１２３    物流機材履歴情報制作部
１２４    物流機材履歴情報送信部
１２５    物流機材／物品情報取得部
１２６    物流機材／物品情報要求受理部
１２７    物流機材／物品情報制作部
１２８    物流機材／物品情報送信部
１２９    中央処理部
１３０    記憶部
１３１    物流機材履歴情報格納部
１３２    物流機材／物品情報格納部
１４０    出力部
１４１    画像表示部
【図１】
2006027745.tif 000003
【図２】
2006027745.tif 000004
【図３】
2006027745.tif 000005
【図４】
2006027745.tif 000006
【図５】
2006027745.tif 000007
【図６】
2006027745.tif 000008
【図７】
2006027745.tif 000009
【図８】
2006027745.tif 000010